(57)【要約】【課題】装置を小型化して回転させるだけの簡単な操作で安全に、帯板圧着面可動ベルト型圧力付与体と帯板圧着面非可動型圧力付与体とに切り替えることのできる帯板巻取り張力付与装置を提供することにある。【解決手段】上下の帯板圧着面可動ベルト型圧力付与体２，３の片側に、一対の上部プーリ２１及び下部プーリ３１にそれぞれ張設されて並設状態で循環動する複数の上下の各エンドレスベルト１を跨いで帯板圧着面非可動型圧力付与体６，７を設け、上下の帯板圧着面可動ベルト型圧力付与体２，３を水平軸回りに回転自在に支持し、帯板の上下圧着を帯板圧着面可動ベルト型圧力付与体２，３と帯板圧着面非可動型圧力付与体６，７とに回転切り替え自在とした。【選択図】        図２
2004230449.tif 000002
【特許請求の範囲】
【請求項１】
上下に相対向して略長円形状態で循環動自在に張設され且つ幅方向に複数並設されたエンドレスベルト、上下のエンドレスベルトが各々略長円形状態で循環動自在に張設される一対のプーリ、上下の各エンドレスベルトの内側表面を押圧する各ベルト押圧部を有する上下の圧力付与体とから各々構成される上下一対の帯板圧着面可動ベルト型圧力付与体の片側に、上記エンドレスベルトを跨いで帯板圧着面非可動型圧力付与体を設け、各エンドレスベルトの外側表面の摩擦係数を内側表面の摩擦係数より大にし、上下の帯板圧着面可動ベルト型圧力付与体による圧着時には上下の各エンドレスベルトを帯板の上下両面に押し付け圧着し、各エンドレスベルトを移動する各帯板との摩擦係合で駆動し、移動する各帯板と一体となって各エンドレスベルトを独立して上記圧力付与体の外周を循環動する構成にすると共に、帯板圧着面非可動型圧力付与体が設けられた上下の帯板圧着面可動ベルト型圧力付与体を各々水平軸回りに回転自在に支持し、帯板上下両面への圧着を帯板圧着面可動ベルト型圧力付与体と帯板圧着面非可動型圧力付与体とに回転切り替え自在としたことを特徴とする帯板巻取り張力付与装置。
【請求項２】
上下に相対向して略円形状態で循環動し且つ幅方向に複数並設されたエンドレスベルト、上下の各エンドレスベルトがその外周を並設状態で循環動し且つエンドレスベルトの内側表面を押圧するベルト押圧部を有する上下の圧力付与体とから各々構成される上下一対の帯板圧着面可動ベルト型圧力付与体の片側に、上記エンドレスベルトを跨いで帯板圧着面非可動型圧力付与体を設け、並設状態で循環動する各エンドレスベルトを分割ガイドするベルトガイド用突起を上記の各圧力付与体の外周に設け、各エンドレスベルトの外側表面の摩擦係数を内側表面の摩擦係数より大にし、上下の帯板圧着面可動ベルト型圧力付与体による圧着時には上下の各エンドレスベルトを帯板の上下両面に押し付け圧着し、各エンドレスベルトを移動する各帯板との摩擦係合で駆動し、移動する各帯板と一体となって各エンドレスベルトを独立して上記圧力付与体の外周を循環動する構成にすると共に、帯板圧着面非可動型圧力付与体が設けられた上下の帯板圧着面可動ベルト型圧力付与体を各々水平軸回りに回転自在に支持し、帯板上下両面への圧着を帯板圧着面可動ベルト型圧力付与体と帯板圧着面非可動型圧力付与体とに回転切り替え自在としたことを特徴とする帯板巻取り張力付与装置。
【発明の詳細な説明】
【０００１】
【発明の属する技術分野】
この発明は、例えば幅広な金属性帯板を該帯板の長手方向に沿って複数条に裁断するスリッターラインにおいて、金属性帯板のスリット後に各スリット帯板を巻取る際に生じる張力の不均衡を調整し、均等な巻取り張力を付与することのできる帯板巻取り張力付与装置に関するものである。
【０００２】
【従来の技術】
圧着フェルトによる擦り傷や圧着マークが帯板の表面に付着しても問題にならないコイル材にはフェルト圧着方式の「テンションパッド」が多く用いられ、光沢のあるメッキ処理など施した材料やステンレス材や光沢仕上げの非鉄金属材などの巻取りに対しては、当社で開発したプーリとエンドレスベルトを備えたベルト可動式（商標名「ベルトブライドル」）が利用されている。
一般的なスリッターラインでは、高級な表面処理のコイルとそうでないコイルが混在しているので、当社ではベルトブライドルとテンションパッドを上下２段に装備した機種（コンビネーション型）を開発して、処理材のグレードに合わせて、ベルト式とフェルト式を切り替えて利用できるようにした。
【０００３】
【発明が解決しようとする課題】
しかしながら、上下４段のフレームを有しており、昇降切替と圧下状態への切替のために各フレーム間には特殊な連結装置ｂを工夫しているが、大型な構造の複雑で高価な装置となる一因でもあり、又連結装置ｂの不具合に起因して上下のフレームの落下事故につながる危険性もある。（図１４参照）
【０００４】
この発明は、上記のような課題に鑑み、その課題を解決すべく創案されたものであって、その目的とするところは、装置を小型化して回転させるだけの簡単な操作で安全に、帯板圧着面可動ベルト型圧力付与体と帯板圧着面非可動型圧力付与体とに切り替えることのできる帯板巻取り張力付与装置を提供することにある。
【０００５】
【課題を解決するための手段】
以上の目的を達成するために、請求項１の発明は、上下に相対向して略長円形状態で循環動自在に張設され且つ幅方向に複数並設されたエンドレスベルト、上下のエンドレスベルトが各々略長円形状態で循環動自在に張設される一対のプーリ、上下の各エンドレスベルトの内側表面を押圧する各ベルト押圧部を有する上下の圧力付与体とから各々構成される上下一対の帯板圧着面可動ベルト型圧力付与体の片側に、上記エンドレスベルトを跨いで帯板圧着面非可動型圧力付与体を設け、各エンドレスベルトの外側表面の摩擦係数を内側表面の摩擦係数より大にし、上下の帯板圧着面可動ベルト型圧力付与体による圧着時には上下の各エンドレスベルトを帯板の上下両面に押し付け圧着し、各エンドレスベルトを移動する各帯板との摩擦係合で駆動し、移動する各帯板と一体となって各エンドレスベルトを独立して上記圧力付与体の外周を循環動する構成にすると共に、帯板圧着面非可動型圧力付与体が設けられた上下の帯板圧着面可動ベルト型圧力付与体を各々水平軸回りに回転自在に支持し、帯板上下両面への圧着を帯板圧着面可動ベルト型圧力付与体と帯板圧着面非可動型圧力付与体とに回転切り替え自在とした手段よりなるものである。
【０００６】
また、請求項２の発明は、上下に相対向して略円形状態で循環動し且つ幅方向に複数並設されたエンドレスベルト、上下の各エンドレスベルトがその外周を並設状態で循環動し且つエンドレスベルトの内側表面を押圧するベルト押圧部を有する上下の圧力付与体とから各々構成される上下一対の帯板圧着面可動ベルト型圧力付与体の片側に、上記エンドレスベルトを跨いで帯板圧着面非可動型圧力付与体を設け、並設状態で循環動する各エンドレスベルトを分割ガイドするベルトガイド用突起を上記の各圧力付与体の外周に設け、各エンドレスベルトの外側表面の摩擦係数を内側表面の摩擦係数より大にし、上下の帯板圧着面可動ベルト型圧力付与体による圧着時には上下の各エンドレスベルトを帯板の上下両面に押し付け圧着し、各エンドレスベルトを移動する各帯板との摩擦係合で駆動し、移動する各帯板と一体となって各エンドレスベルトを独立して上記圧力付与体の外周を循環動する構成にすると共に、帯板圧着面非可動型圧力付与体が設けられた上下の帯板圧着面可動ベルト型圧力付与体を各々水平軸回りに回転自在に支持し、帯板上下両面への圧着を帯板圧着面可動ベルト型圧力付与体と帯板圧着面非可動型圧力付与体とに回転切り替え自在とした手段よりなるものである。
【０００７】
【発明の実施の形態】
以下、図面に記載の発明の実施の形態に基づいて、この発明をより具体的に説明する。
【０００８】
〔実施の形態−１〕
ここで、図１は全体側面図、図２は装置の全体正面図、図３は装置の側断面図、図４は装置の要部の側面図、図５（Ａ）は図４のＡ−Ａ矢視断面図、図５（Ｂ）は図５（Ａ）のＢ部拡大図、図６は使用説明図、図７は組み合わせの説明図である。
【０００９】
帯板巻取り張力付与装置は、図示しないスリット帯板巻取装置に巻き取られるスリット帯板ａに所定の巻き取り張力を付与する装置で、図示しないスリット帯板巻取装置の前方側でスリット帯板ａの移動通路の途中に配置されている。
【００１０】
帯板巻取り張力付与装置は、上下に相対向して略長円形状態で循環動自在に張設され且つ幅方向に複数並設されたエンドレスベルト１と、上下のエンドレスベルト１が各々略長円形状態で循環動自在に張設される一対の上部プーリ２１、下部プーリ３１、エンドレスベルト１の内側表面１ａを押圧する上下一対の上部圧力付与体２２、下部圧力付与体３２とから各々構成される上部帯板圧着面可動ベルト型圧力付与体２及び下部帯板圧着面可動ベルト型圧力付与体３、両圧力付与体２２，３２を支持するスタンド４、上部圧力付与体２２に圧下力を付与する液圧シリンダ５、上部帯板圧着面可動ベルト型圧力付与体２に設けられた上部帯板圧着面非可動型圧力付与体６、下部帯板圧着面可動ベルト型圧力付与体３に設けられた下部帯板圧着面非可動型圧力付与体７などから主に構成されている。
【００１１】
上部帯板圧着面可動ベルト型圧力付与体２は、幅方向に並設され各一対の上部プーリ２１の間に循環動自在に張設されたエンドレスベルト１と、エンドレスベルト１の内側表面１ａを押圧する上部圧力付与体２２とから構成されている。上部圧力付与体２２は上部側に並設して配置されたエンドレスベルト１を下方に押圧し、一方、下部圧力付与体３２は下部側に並設して配置された複数のエンドレスベルト１を反力により上方に押圧する。上部圧力付与体２２と下部圧力付与体３２とは協働して、上下に相対向する各エンドレスベルト１同士の間を通過するスリット帯板ａをエンドレスベルト１を介して間接的に上下から同一の押圧力で挟圧して、一定の張力を付与するものである。
【００１２】
エンドレスベルト１は、スリット帯板ａの移動方向に循環動自在に配置され、これが横方向つまりスリット帯板ａの移動方向に対して直交方向に複数並設して配置され、更にこれらが上下に相対向して配置されている。
【００１３】
上下に配置され且つ横方向に並設された各エンドレスベルト１は、無端状のベルトから構成され、上部側に配置された一対の各上部プーリ２１間、及び下部側に配置された一対の各下部プーリ３１間に、それぞれ独立して略長円形状態で循環動自在に張設されている。各エンドレスベルト１は独立してスリット帯板ａの移動方向に循環動できるように装着されている。
【００１４】
エンドレスベルト１の外側表面１ｂは、スリット帯板ａと一体となってスリット帯板ａを移動させる機能を果たすものである。これに対し、エンドレスベルト１の内側表面１ａは、上部圧力付与体２２のベルト押圧部２２ａ及び下部圧力付与体３２のベルト押圧部３２ａとの間の滑りによる摩擦力で、スリット帯板ａに張力を発生させる機能を果たすものである。このため、エンドレスベルト１の内側表面１ａは外側表面１ｂより摩擦係数が小さく滑り易いようになっている。
【００１５】
エンドレスベルト１の内側表面１ａは、織布の各繊維間及び編み目の凹部に潤滑剤を含浸できるように、合成繊維による織布とし、エンドレスベルト１の外側表面１ｂは、摩擦係数の高い可撓性の材料で密着構成されている。
【００１６】
この織布をエンドレスベルト１の内側表面１ａに用いることで、織布の各繊維間及び編み目の凹部に潤滑剤をあらかじめ染み込ませて摩擦係数を小さく出来るし、織布は固体の板状の材質とは異なり可撓性が大きい特徴があるので、圧力付与体２２，３２に押圧されたエンドレスベルト１の回転抵抗が小さい。織布は合成繊維のポリエステルやビニロン、ナイロンなどの素材を利用できる。
【００１７】
また、エンドレスベルト１の外側表面１ｂは、内側表面１ａよりも摩擦係数の大なる材質で形成されていてもよい。つまり、エンドレスベルト１の内側表面材は耐摩性の材料、例えば低い摩擦係数の軟質の合成樹脂系材を使用し、外側表面材は高い摩擦係数を有する弾性体、例えばゴムや合成樹脂材等を用いて構成されている。さらに、エンドレスベルト１の内側表面１ａと上部圧力付与体２２及び下部圧力付与体３２の滑り面に潤滑剤を塗布する方法を用いて、エンドレスベルト１の内側表面１ａの摩擦係数が外側表面１ｂの摩擦係数より小さくなるように構成してもよい。
【００１８】
一対の上部プーリ２１は、前記上部圧力付与体２２を挟んでその前後側に各々配置されている。上部圧力付与体２２の前後側にはそれぞれプーリ軸２１ａが並設されたエンドレスベルト１の幅方向に配置されており、前後側の各プーリ軸２１ａに複数の上部プーリ２１がそれぞれ独立して回転自在に軸支されている。前側のプーリ軸２１ａはその両端側が上部圧力付与体２２の前側の両端側に連結支持され、また、後側のプーリ軸２１ａはその両端側が上部圧力付与体２２の後側の両端側に連結支持されている。
【００１９】
各エンドレスベルト１は上部圧力付与体２２の前後側の各プーリ軸２１ａに軸支された上部プーリ２１の間に張設されている。即ち、各上部プーリ２１は独立してスリット帯板ａの移動方向に向けて回転できるように軸支されている。これにより、各エンドレスベルト１は独立してスリット帯板ａの移動方向に循環動できるようになっている。
【００２０】
一対の各上部プーリ２１は円形の形状を有し、又円周縁側には溝型の案内つば２１ｂがそれぞれ形成されていて、各エンドレスベルト１はこの溝型の案内つば２１ｂによって両幅端側がガイドされて、隣のエンドレスベルト１との接触が防がれている。また、上部圧力付与体２２の前後側の各プーリ軸２１ａに軸支された各上部プーリ２１は、エンドレスベルト１の幅方向にずれないように各隣同士の上部プーリ２１の間には図示しないボールベアリングや分割保持リングなどがプーリ軸２１ａに装着されている
【００２１】
エンドレスベルト１が張設された一対の各上部プーリ２１は上部圧力付与体２２の前後側の各プーリ軸２１ａに遊転自在に軸支されていて、各上部プーリ２１にはエンドレスベルト１を循環動させる駆動源は設けられてなく、エンドレスベルト１は移動するスリット帯板ａとの摩擦係合で循環動する以外に、自力で循環動することがない。つまり、一対の各上部プーリ２１間に各々張設されたエンドレスベルト１は、スリット帯板ａと接触しない限り循環動することはない。
【００２２】
前記上部圧力付与体２２は上部側に配置された多数のエンドレスベルト１の内側を挿通する状態で配設されている。このような状態で配設された上部圧力付与体２２は、エンドレスベルト１の内側表面１ａを直接押圧する側断面が直線状のベルト押圧部２２ａと、ベルト押圧部２２ａの上方に平行に設けられ側断面が直線状のベルト通過部２２ｂとから一体的に構成され、また例えば断面方形状に形成されている。上部圧力付与体２２はその長手方向がスリット帯板ａの移動方向に対して直交方向に配設され、又エンドレスベルト１の内側を挿通している。
【００２３】
ベルト押圧部２２ａは、スリット帯板ａの移動方向に対して一定の長さを有する面圧でエンドレスベルト１を介してスリット帯板ａを押圧して、スリット帯板ａに巻き取り張力を付与する部分である。このため、ベルト押圧部２２ａは、通過するスリット帯板ａに平行になるようにスリット帯板ａの移動方向に対して一定の長さを有する直線状に形成されている。又横方向に複数並設された各エンドレスベルト１の内側表面１ａを均一に押圧できるように形成されている。
【００２４】
ベルト押圧部２２ａによって内側表面１ａが押圧されて外側表面１ｂがスリット帯板ａと直に接触するエンドレスベルト１は、外側表面１ｂがスリット帯板ａに密着して滑ることなくスリット帯板ａと一体となって同一速度で循環動する。ベルト押圧部２２ａは、エンドレスベルト１と接触する表面が平坦面に形成されていて、また、エンドレスベルト１の内側表面１ａとの間の摩擦が小さくなるように仕上げられている。
【００２５】
また、ベルト押圧部２２ａと接する側の上部圧力付与体２２の内部には冷却室２２ｃが各エンドレスベルト１を横断する方向に設けられている。冷却室２２ｃは上部圧力付与体２２のベルト押圧部２２ａによって押圧されるエンドレスベルト１が摩擦熱により過熱するのを冷やすためのものである。冷却室２２ｃの内部は必要に応じて内部仕切板２２ｄによって例えば２つ又はそれ以上に仕切られることもある。また、冷却室２２ｃの内部を複数に仕切る内部仕切板２２ｄの一部は部分的に開口されていて、一部の内部仕切板２２ｄを挟んで両側が部分的に連通していることもある。
【００２６】
上部圧力付与体２２の内部の冷却室２２ｃを仕切る内部仕切板２２ｄは、内部が冷却室２２ｃによって空洞となる上部圧力付与体２２の形状保持の機能を果たす。即ち、エンドレスベルト１を下向きに押圧する上部圧力付与体２２には上下方向に圧縮力が作用するが、内部仕切板２２ｄがこれに抵抗して上部圧力付与体２２がその長手方向に撓んだり湾曲したりするのを防ぐ機能を果たす。
【００２７】
冷却室２２ｃには水冷冷却室と空冷冷却室がある。水冷冷却室は内部に水を流し、空冷冷却室は内部に空気を流すことによって冷却する。水冷冷却室は通板するスリット帯板ａの厚みが厚く、通板速度が速いと発生する摩擦熱も大となって、過熱しやすくなるときに使用される。空冷冷却室は通板するスリット帯板ａの厚みが薄く通板速度も遅く過熱しにくいときに使用される。
【００２８】
下部帯板圧着面可動ベルト型圧力付与体３は、幅方向に並設され各一対の下部プーリ３１の間に循環動自在に張設されたエンドレスベルト１と、エンドレスベルト１の内側表面１ａを押圧する下部圧力付与体３２とから構成されている。下部圧力付与体３２は下部側に並設して配置された複数のエンドレスベルト１を上部圧力付与体２２からの反力により上方に押圧する。下部圧力付与体３２は前記上部圧力付与体２２と協働して、上下に相対向する各エンドレスベルト１同士の間を通過するスリット帯板ａをエンドレスベルト１を介して間接的に上下から同一の押圧力で挟圧して、一定の張力を付与するものである。
【００２９】
一対の下部プーリ３１は、前記下部圧力付与体３２を挟んでその前後側に各々配置されている。下部圧力付与体３２の前後側にはそれぞれプーリ軸３１ａが並設されたエンドレスベルト１の幅方向に配置されており、前後側の各プーリ軸３１ａに複数の下部プーリ３１がそれぞれ独立して回転自在に軸支されている。前側のプーリ軸３１ａはその両端側が下部圧力付与体３２の前側の両端側に連結支持され、また、後側のプーリ軸３１ａはその両端側が下部圧力付与体３２の後側の両端側に連結支持されている。
【００３０】
各エンドレスベルト１は下部圧力付与体３２の前後側の各プーリ軸３１ａに軸支された下部プーリ３１の間に張設されている。即ち、各下部プーリ３１は独立してスリット帯板ａの移動方向に向けて回転できるように軸支されている。これにより、各エンドレスベルト１は独立してスリット帯板ａの移動方向に循環動できるようになっている。
【００３１】
一対の各下部プーリ３１は円形の形状を有し、又円周縁側には溝型の案内つば３１ｂがそれぞれ形成されていて、各エンドレスベルト１はこの溝型の案内つば３１ｂによって両幅端側がガイドされて、隣のエンドレスベルト１との接触が防がれている。また、下部圧力付与体３２の前後側の各プーリ軸３１ａに軸支された各下部プーリ３１は、エンドレスベルト１の幅方向にずれないように各隣同士の下部プーリ３１の間には図示しないボールベアリングや分割保持リングなどがプーリ軸３１ａに装着されている
【００３２】
エンドレスベルト１が張設された一対の各下部プーリ３１は下部圧力付与体３２の前後側の各プーリ軸３１ａに遊転自在に軸支されていて、各下部プーリ３１にはエンドレスベルト１を循環動させる駆動源は設けられてなく、エンドレスベルト１は移動するスリット帯板ａとの摩擦係合で循環動する以外に、自力で循環動することがない。つまり、一対の各下部プーリ３１間に各々張設されたエンドレスベルト１は、スリット帯板ａと接触しない限り循環動することはない。
【００３３】
前記下部圧力付与体３２は上部側に配置された多数のエンドレスベルト１の内側を挿通する状態で配設されている。このような状態で配設された下部圧力付与体３２は、エンドレスベルト１の内側表面１ａを直接押圧する側断面が直線状のベルト押圧部３２ａと、ベルト押圧部３２ａの下方に平行に設けられ側断面が直線状のベルト通過部３２ｂとから一体的に構成され、また例えば断面方形状に形成されている。下部圧力付与体３２はその長手方向がスリット帯板ａの移動方向に対して直交方向に配設され、又エンドレスベルト１の内側を挿通している。
【００３４】
ベルト押圧部３２ａは、スリット帯板ａの移動方向に対して一定の長さを有する面圧でエンドレスベルト１を介してスリット帯板ａを押圧して、スリット帯板ａに巻き取り張力を付与する部分である。このため、ベルト押圧部３２ａは、通過するスリット帯板ａに平行になるようにスリット帯板ａの移動方向に対して一定の長さを有する直線状に形成されている。又横方向に複数並設された各エンドレスベルト１の内側表面１ａを均一に押圧できるように形成されている。
【００３５】
ベルト押圧部３２ａによって内側表面１ａが押圧されて外側表面１ｂがスリット帯板ａと直に接触するエンドレスベルト１は、外側表面１ｂがスリット帯板ａに密着して滑ることなくスリット帯板ａと一体となって同一速度で循環動する。ベルト押圧部３２ａは、エンドレスベルト１と接触する表面が平坦面に形成されていて、また、エンドレスベルト１の内側表面１ａとの間の摩擦が小さくなるように仕上げられている。
【００３６】
また、ベルト押圧部３２ａと接する側の下部圧力付与体３２の内部には冷却室３２ｃが各エンドレスベルト１を横断する方向に設けられている。冷却室３２ｃは下部圧力付与体３２のベルト押圧部３２ａによって押圧されるエンドレスベルト１が摩擦熱により過熱するのを冷やすためのものである。冷却室３２ｃの内部は必要に応じて内部仕切板３２ｄによって例えば２つ又はそれ以上に仕切られることもある。また、冷却室３２ｃの内部を複数に仕切る内部仕切板３２ｄの一部は部分的に開口されていて、一部の内部仕切板３２ｄを挟んで両側が部分的に連通していることもある。
【００３７】
下部圧力付与体３２の内部の冷却室３２ｃを仕切る内部仕切板３２ｄは、内部が冷却室３２ｃによって空洞となる下部圧力付与体３２の形状保持の機能を果たす。即ち、エンドレスベルト１を上向きに押圧する下部圧力付与体３２には上下方向に圧縮力が作用するが、内部仕切板３２ｄがこれに抵抗して下部圧力付与体３２がその長手方向に撓んだり湾曲したりするのを防ぐ機能を果たす。
【００３８】
冷却室３２ｃには水冷冷却室と空冷冷却室がある。水冷冷却室は内部に水を流し、空冷冷却室は内部に空気を流すことによって冷却する。水冷冷却室は通板するスリット帯板ａの厚みが厚く、通板速度が速いと発生する摩擦熱も大となって、過熱しやすくなるときに使用される。空冷冷却室は通板するスリット帯板ａの厚みが薄く通板速度も遅く過熱しにくいときに使用される。
【００３９】
各エンドレスベルト１の幅方向に配置された下部圧力付与体３２の長手方向の両端側には外側方に向けて支持軸３３が各々張り出して設けられており、各支持軸３３は門型のスタンド４の上部横桁４１の中央に軸支されているので下部圧力付与体３２は支持軸３３を中心に回転する構造になっており、この回転は手動でも簡単に行うことができる。
【００４０】
下部圧力付与体３２の両端側に設置されたスタンド４は、上部横桁４１と上部横桁４１の両端下部を支持する左右の縦桁４２から構成される門型形状からなる。スタンド４は上部圧力付与体２２及び下部圧力付与体３２を支持するもので、上部横桁４１の上方には上部圧力付与体２２の両端側を支持する上部軸受け４３が昇降自在に設けられている。この両側に設置されたスタンド４はその下端が板状のベース４５上に固定されている。
【００４１】
各エンドレスベルト１の幅方向に配置された上部圧力付与体２２の長手方向の両端側には外側方に向けて支持軸２３が各々張り出して設けられており、各支持軸２３は門型のスタンド４の上部横桁４１の上方に昇降軸４４を介して昇降自在に設けられた上部軸受け４３の中央に回転自在に各々軸支されているので上部圧力付与体２２は支持軸２３を中心に回転する構造になっており、この回転は手動でも簡単に行うことができる。
【００４２】
門型のスタンド４の内側つまり上部横桁４１と左右の縦桁４２との間には、液圧シリンダ５が設けられている。液圧シリンダ５は上部軸受け４３を昇降させると共に昇降する上部軸受け４３を介して上部圧力付与体２２に、エンドレスベルト１に対する圧下力を付与する。液圧シリンダ５には例えば油圧シリンダが使用される。
【００４３】
液圧シリンダ５は下向きに伸縮するように、その上端が上部横桁４１の下端中央に吊持されている。液圧シリンダ５の下端から下方に突出するピストンロッド５１の下端は横連結板５２の中央に連結されている。この横連結板５２の両端側には上部軸受け４３を昇降自在に支持する昇降軸４４の下端がそれぞれ連結されている。
【００４４】
各昇降軸４４は上下方向に延設され上部横桁４１を昇降自在に貫通しており、貫通した上端は上部軸受け４３の下端に連結されている。上部圧力付与体２２を支持する上部軸受け４３は、この昇降軸４４が液圧シリンダ５によって昇降することによって、これと一体となって昇降する構造になっている。
【００４５】
即ち、液圧シリンダ５のピストンロッド５１が下方に伸長すると、昇降軸４４は下降し、これに連動して上部軸受け４３及び上部圧力付与体２２も下降して、エンドレスベルト１に圧下力が作用して、上部圧力付与体２２及び下部圧力付与体３２の協動による上下から挟圧してスリット帯板ａに巻き取り張力を付与する。
【００４６】
また、液圧シリンダ５のピストンロッド５１が収縮すると、昇降軸４４は上昇し、これに連動して上部軸受け４３及び上部圧力付与体２２も上昇して、エンドレスベルト１に対する圧下力は消失し、エンドレスベルト１によるスリット帯板ａに対する巻き取り張力は消失する。
【００４７】
上部帯板圧着面可動ベルト型圧力付与体２に設けられた上部帯板圧着面非可動型圧力付与体６は、該可動ベルト型圧力付与体２の外周表面の片側に、該可動ベルト型圧力付与体２の外周表面にスリット帯板ａの移動方向に循環動自在に並設された複数のエンドレスベルト１を跨いで設けられている。上部帯板圧着面非可動型圧力付与体６は、上部圧力付与体２２のベルト押圧部２２ａの反対側となるベルト通過部２２ｂ上に取り付けられている。
【００４８】
上部帯板圧着面非可動型圧力付与体６は、押圧表面にフェルト６１が取り付けられた押圧板６２、押圧板６２の両端を上部圧力付与体２２のベルト通過部２２ｂ上の両端側の中央表面に支持連結する支持桁６３、並設された複数のエンドレスベルト１同士の間の上部圧力付与体２２のベルト通過部２２ｂの表面に支持される複数の分割支持片６４から構成されている。
【００４９】
上部帯板圧着面非可動型圧力付与体６は押圧板６２のフェルト６１表面が移動中のスリット帯板ａの表面を押圧するが、このときフェルト６１は固定されていて、移動中のスリット帯板ａ表面との間で滑りを生じる。
【００５０】
分割支持片６４は、押圧板６２の両端以外の中間部を支持して、押圧板６２でスリット帯板ａの表面を押圧時に、押圧板６２が撓むのを防止する機能を果たす。また、各分割支持片６４は、押圧板６２のフェルト６１と反対側の面がエンドレスベルト１に接触するのを防ぐのに十分な高さを有している。
【００５１】
また、下部帯板圧着面可動ベルト型圧力付与体３に設けられた下部帯板圧着面非可動型圧力付与体７は、該可動ベルト型圧力付与体３の外周表面の片側に、該可動ベルト型圧力付与体３の外周表面にスリット帯板ａの移動方向に循環動自在に並設された複数のエンドレスベルト１を跨いで設けられている。下部帯板圧着面非可動型圧力付与体７は、下部圧力付与体３２のベルト押圧部３２ａの反対側となるベルト通過部３２ｂ上に取り付けられている。
【００５２】
下部帯板圧着面非可動型圧力付与体７は、押圧表面にフェルト７１が取り付けられた押圧板７２、押圧板７２の両端を下部圧力付与体３２のベルト通過部３２ｂ上の両端側の中央表面に支持連結する支持桁７３、並設された複数のエンドレスベルト１同士の間の下部圧力付与体３２のベルト通過部３２ｂの表面に支持される複数の分割支持片７４から構成されている。
【００５３】
上部帯板圧着面非可動型圧力付与体７は押圧板７２のフェルト７１表面が移動中のスリット帯板ａの表面を押圧するが、このときフェルト７１は固定されていて、移動中のスリット帯板ａ表面との間で滑りを生じる。
【００５４】
分割支持片７４は、押圧板７２の両端以外の中間部を支持して、押圧板７２でスリット帯板ａの表面を押圧時に、押圧板７２が撓むのを防止する機能を果たす。また、各分割支持片７４は、押圧板７２のフェルト７１と反対側の面がエンドレスベルト１に接触するのを防ぐのに十分な高さを有している。
【００５５】
なお、図では液圧シリンダ５は下向きに設置、つまり上部横桁４１に吊持されて下向きにピストンロッド５１が伸縮する構造になっているが、これと逆に液圧シリンダ５を上向きに設置、つまり液圧シリンダ５の下端をベース４５上に設置しピストンロッド５１が上端側になるようにして、上向きにピストンロッド５１が伸縮する構造に設置してもよい。また、液圧シリンダ５には、スリット帯板ａの板厚や板幅に合わせた張力を付与できるように、該液圧シリンダ５への流体圧を図示しない圧力調整装置で調整できる構造になっている。
【００５６】
次に、上記発明の実施の形態の構成に基づく作用について以下説明する。
上部帯板圧着面非可動型圧力付与体６と下部帯板圧着面非可動型圧力付与体７とにより、スリット帯板ａを挟圧して巻き取り張力を付与したい場合には、上部圧力付与体２２及び下部圧力付与体３２の両端側に設置された各スタンド４内に吊持された液圧シリンダ５のピストンロッド５１を収縮して、各スタンド４の上方の上部軸受け４３を上昇させる。各上部軸受け４３を上昇させると両端が上部軸受け４３に支持された上部圧力付与体２２は上昇して、上部圧力付与体２２と下部圧力付与体３２との間は上下に開く。
【００５７】
上部圧力付与体２２を支持軸２３を中心として１８０度回転させて、上部圧力付与体２２の上部側に位置していた押圧板６２のフェルト６１を下向きにする。同様に下部圧力付与体３２を支持軸３３を中心として１８０度回転させて、下部圧力付与体３２の下部側に位置していた押圧板７２のフェルト７１を上向きにする。この回転は手動で簡単に行うことができ、又手動に代えてモーターなどの駆動力を使って回転させることもできる。
【００５８】
開いた上下に相対向するフェルト６１、７１同士の間に各スリット帯板ａを通し、液圧シリンダ５のピストンロッド５１を下向きに伸長して上部圧力付与体２２を下降させて、上部圧力付与体２２と下部圧力付与体３２との間を閉じてスリット帯板ａの通板作業を完了すると共に、上下の上部圧力付与体２２及び下部圧力付与体３２に装着したフェルト６１、７１により、スリット帯板ａを上下から所定の押圧力で挟圧する。このとき、スリット帯板ａには、液圧シリンダ５に作用する圧力に比例した張力が付与されるので、図示しない圧力調整装置により液圧力を調節して、スリット帯板ａの張力を適当に調整する。
【００５９】
これに対して、上部帯板圧着面可動ベルト型圧力付与体２と下部帯板圧着面可動ベルト型圧力付与体３とにより、スリット帯板ａを挟圧して巻き取り張力を付与したい場合には、前後両側に上部プーリ２１がそれぞれ取り付けられた上部圧力付与体２２を上に開いて、上部圧力付与体２２を支持軸２３を中心として１８０度回転させて、上部圧力付与体２２の下部側に位置していた押圧板６２のフェルト６１を上向きにする。同様に前後両側に下部プーリ３１がそれぞれ取り付けられた下部圧力付与体３２を支持軸３３を中心として１８０度回転させて、下部圧力付与体３２の上部側に位置していた押圧板７２のフェルト７１を下向きにする。この回転は手動で簡単に行うことができ、又手動に代えてモーターなどの駆動力を使って回転させることもできる。
【００６０】
開いた上下に相対向するエンドレスベルト１の外側表面１ｂ同士の間に各スリット帯板ａを通し、液圧シリンダ５のピストンロッド５１を下向きに伸長して上部圧力付与体２２を下降させて、上部圧力付与体２２と下部圧力付与体３２との間を閉じてスリット帯板ａの通板作業を完了すると共に、上部圧力付与体２２の前後両側に取り付けられた各上部プーリ２１間に張設された上側のエンドレスベルト１及び下部圧力付与体３２の前後両側に取り付けられた各下部プーリ３１間に張設された下側のエンドレスベルト１により、スリット帯板ａを上下から所定の押圧力で挟圧する。
【００６１】
上部圧力付与体２２のベルト押圧部２２ａはエンドレスベルト１の内側表面１ａを下向きに押圧して内側表面１ａに完全に密着する。ベルト押圧部２２ａに下向きに押圧されたエンドレスベルト１は外側表面１ｂがスリット帯板ａの表面と完全に密着する。エンドレスベルト１の外側表面１ｂがスリット帯板ａの表面と完全に密着した後は、スリット帯板ａを下方に押圧する。
【００６２】
スリット帯板ａの裏面と接触する下側のエンドレスベルト１は、反力によって下部圧力付与体３２のベルト押圧部３２ａによって下側のエンドレスベルト１の内側表面１ａを上向きに押圧して、エンドレスベルト１の外側表面１ｂとスリット帯板ａの裏面を密着させて、上下の相対向するエンドレスベルト１の外側表面１ｂ同士で上下からスリット帯板ａの表裏面を同一の圧力で押圧する。このとき、上下の相対向するエンドレスベルト１の外側表面１ｂ同士と密着したスリット帯板ａの表裏面の全範囲には均等な圧力が付与される。
【００６３】
そして、スリット帯板ａの巻取りを開始すると、移動するスリット帯板ａの表裏面と上下のエンドレスベルト１の外側表面１ｂとの密着摩擦により、上下の各エンドレスベルト１は各一対の上部プーリ２１及び下部プーリ３１に略長円形に張設されて略長円形状態で循環動して周回する。このとき、上下のエンドレスベルト１は移動する各スリット帯板ａと滑りを生じることなく一体となって同速度で各々独立して循環動する。
【００６４】
その一方で、上記上部圧力付与体２２のベルト押圧部２２ａ及び下部圧力付与体３２のベルト押圧部３２ａの表面と上下のエンドレスベルト１の内側表面１ａとの間の滑りによる摩擦力により、つまり、移動するスリット帯板ａとの摩擦係合で略長円形状態で循環動するエンドレスベルト１の内側表面１ａを押圧するベルト押圧部２２ａ及びベルト押圧部３２ａが所謂ブレーキ的な機能を果たして、スリット帯板巻取装置と帯板巻取り張力付与装置との間に位置する各スリット帯板ａに必要な巻き取り張力を発生させるのである。張力の調整は液圧シリンダ５への圧力を図示しない圧力調整装置で調節して行う。
【００６５】
また、帯板圧着面可動ベルト型圧力付与体２、３と帯板圧着面非可動型圧力付与体６，７との組み合わせとしては、図７（Ａ）（Ｄ）のように同じもの同士の組み合わせ以外に、図７（Ｂ）のように、上部帯板圧着面非可動型圧力付与体６と下部帯板圧着面可動ベルト型圧力付与体３、図７（Ｃ）のように、上部帯板圧着面可動ベルト型圧力付与体２と下部帯板圧着面非可動型圧力付与体７もある。スリット帯板ａの表面仕上げは片側のみに高級塗装したものや、片面の品質保証を要求しない場合などがあるので、ベルトとフェルトの組合せを自由に変更できる利点もある。
【００６６】
〔実施の形態−２〕
ここで、図９は装置の全体側面図、図１０は装置の全体正面図、図１１は装置の側断面図、図１２は組み合わせの説明図である。
【００６７】
帯板巻取り張力付与装置は、図示しないスリット帯板巻取装置に巻き取られるスリット帯板ａに所定の巻き取り張力を付与する装置で、図示しないスリット帯板巻取装置の前方側でスリット帯板ａの移動通路の途中に配置されている。
【００６８】
帯板巻取り張力付与装置は、上下に相対向して略円形状態で循環動自在に保持されたエンドレスベルト１と、上下のエンドレスベルト１が各々略円形状態で循環動自在にその外周を周回し、且つエンドレスベルト１の内側表面１ａを押圧する上下一対の断面略円形の上部圧力付与体１２１、下部圧力付与体１３１とから各々構成される上部帯板圧着面可動ベルト型圧力付与体１０２及び下部帯板圧着面可動ベルト型圧力付与体１０３、両圧力付与体１２１，１３１を支持するスタンド１０４、上部圧力付与体１２１に圧下力を付与する液圧シリンダ１０５、上部帯板圧着面可動ベルト型圧力付与体１０２に設けられた上部帯板圧着面非可動型圧力付与体１０６、下部帯板圧着面可動ベルト型圧力付与体１０３に設けられた下部帯板圧着面非可動型圧力付与体１０７などから主に構成されている。
【００６９】
上部帯板圧着面可動ベルト型圧力付与体１０２は、上部圧力付与体１２１と該圧力付与体１２１の外周表面を並設状態で循環動するエンドレスベルト１とから構成されている。上部圧力付与体１２１は上部側に配置されたエンドレスベルト１を下方に押圧し、一方、下部圧力付与体１３１は下部側に配置されたエンドレスベルト１を反力により上方に押圧する。上部圧力付与体１２１と下部圧力付与体１３１とは協働して、上下に相対向する各エンドレスベルト１同士の間を通過するスリット帯板ａをエンドレスベルト１を介して間接的に上下から同一の押圧力で挟圧して、一定の張力を付与するものである。
【００７０】
エンドレスベルト１は、スリット帯板ａの移動方向に循環動自在に配置され、これが横方向つまりスリット帯板ａの移動方向に対して直交方向に複数並設して配置され、更にこれらが上下に相対向して配置されている。
【００７１】
上下に配置され且つ横方向に並設された各エンドレスベルト１は、無端状のベルトから構成され、上部側に配置された断面略円形の上部圧力付与体１２１の外周、及び下部側に配置された断面略円形の下部圧力付与体１３１の外周に、それぞれ独立して略円形状態で循環動自在に装着されている。各エンドレスベルト１は独立してスリット帯板ａの移動方向に循環動できるように装着されている。
【００７２】
エンドレスベルト１が装着された上部圧力付与体１２１及び下部圧力付与体１３１には、エンドレスベルト１を循環動させる駆動源は設けられてなく、エンドレスベルト１は移動するスリット帯板ａとの摩擦係合で循環動する以外に、自力で循環動することがない。つまり、上部圧力付与体１２１及び下部圧力付与体１３１に各々装着されたエンドレスベルト１は、スリット帯板ａと接触しない限り循環動することはない。
【００７３】
エンドレスベルト１の外側表面１ｂは、スリット帯板ａと一体となってスリット帯板ａを移動させる機能を果たすものである。これに対し、エンドレスベルト１の内側表面１ａは、上部圧力付与体１２１及び下部圧力付与体１３１との間の滑りによる摩擦力で、スリット帯板ａに張力を発生させる機能を果たすものである。このため、エンドレスベルト１の内側表面１ａは外側表面１ｂより摩擦係数が小さく滑り易いようになっている。
【００７４】
エンドレスベルト１の内側表面１ａは、織布の各繊維間及び編み目の凹部に潤滑剤を含浸できるように、合成繊維による織布とし、エンドレスベルト１の外側表面１ｂは、摩擦係数の高い可撓性の材料で密着構成されている。
【００７５】
この織布をエンドレスベルト１の内側表面１ａに用いることで、織布の各繊維間及び編み目の凹部に潤滑剤をあらかじめ染み込ませて摩擦係数を小さく出来るし、織布は固体の板状の材質とは異なり可撓性が大きい特徴があるので、圧力付与体１２１，１３１に装着されたエンドレスベルト１の回転抵抗が小さい。織布は合成繊維のポリエステルやビニロン、ナイロンなどの素材を利用できる。
【００７６】
また、エンドレスベルト１の外側表面１ｂは、内側表面１ａよりも摩擦係数の大なる材質で形成されていてもよい。つまり、エンドレスベルト１の内側表面材は耐摩性の材料、例えば低い摩擦係数の軟質の合成樹脂系材を使用し、外側表面材は高い摩擦係数を有する弾性体、例えばゴムや合成樹脂材等を用いて構成されている。さらに、エンドレスベルト１の内側表面１ａと上部圧力付与体１２１及び下部圧力付与体１３１の滑り面に潤滑剤を塗布する方法を用いて、エンドレスベルト１の内側表面１ａの摩擦係数が外側表面１ｂの摩擦係数より小さくなるように構成してもよい。
【００７７】
前記上部圧力付与体１２１は上部側に配置された多数のエンドレスベルト１の内側を挿通する状態で配設されている。このような状態で配設された上部圧力付与体１２１は、断面が略円形の形状から形成されており、エンドレスベルト１の内側表面１ａを直接押圧する断面円弧状のベルト押圧部１２１ａを略円形の下端側に有している。上部圧力付与体１２１はその長手方向がスリット帯板ａの移動方向に対して直交方向に配設され、又エンドレスベルト１の内側を挿通している。
【００７８】
横方向に複数並設された各エンドレスベルト１は略円形断面の上部圧力付与体１２１の外周を独立して循環動する。上部圧力付与体１２１の周り表面は略円形状に仕上げられ、各エンドレスベルト１が上部圧力付与体１２１の回りをスムーズに略円形状態で循環動できるようになっている。
【００７９】
上部圧力付与体１２１の下端側のベルト押圧部１２１ａは、スリット帯板ａの移動方向に対して接点の面圧でエンドレスベルト１を介してスリット帯板ａを押圧して、スリット帯板ａに巻き取り張力を付与する部分である。このため、ベルト押圧部１２１ａは、横方向に複数並設された各エンドレスベルト１の内側表面１ａを均一に押圧できるように形成されている。
【００８０】
ベルト押圧部１２１ａによって内側表面１ａが押圧されて外側表面１ｂがスリット帯板ａと直に接触するエンドレスベルト１は、外側表面１ｂがスリット帯板ａに密着して滑ることなくスリット帯板ａと一体となって同一速度で循環動する。ベルト押圧部１２１ａは、エンドレスベルト１の内側表面１ａとの間の摩擦が小さくなるように滑らかな表面に仕上げられている。
【００８１】
上部圧力付与体１２１の外周には、横方向に複数並設された各エンドレスベルト１を分割ガイドする複数のベルトガイド用突起１２２が横方向に一定間隔を隔ててその周方向に突設されている。ベルトガイド用突起１２２は各エンドレスベルト１が幅方向に蛇行や変動するのを防ぐものである。ベルトガイド用突起１２２はベルト押圧部１２１ａを除く上部圧力付与体１２１の外周に適当間隔で複数設けられる。このベルトガイド用突起１２２には板状のベルトガイド板やピンが使用される。
【００８２】
また、上部圧力付与体１２１の内部には必要に応じて冷却室１２１ｂが各エンドレスベルト１を横断する方向に設けられる。冷却室１２１ｂは上部圧力付与体１２１の外周を循環動しながら周回するエンドレスベルト１が摩擦熱により過熱するのを冷やすためのものである。また、冷却室１２１ｂの内部は必要に応じて内部仕切板１２１ｃによって２つ又はそれ以上に仕切られることもある。また、冷却室１２１ｂの内部を複数に仕切る内部仕切板１２１ｃの一部は部分的に開口されていて、一部の内部仕切板１２１ｃを挟んで両側が部分的に連通していることもある。
【００８３】
上部圧力付与体１２１の内部の冷却室１２１ｂを仕切る内部仕切板１２１ｃは、内部が冷却室１２１ｂによって空洞となる上部圧力付与体１２１の形状保持の機能を果たす。即ち、エンドレスベルト１を下向きに押圧する上部圧力付与体１２１には上下方向に圧縮力が作用するが、内部仕切板１２１ｃがこれに抵抗して上部圧力付与体１２１がその長手方向に撓んだり湾曲したりするのを防ぐ機能を果たす。
【００８４】
冷却室１２１ｂには水冷冷却室と空冷冷却室がある。水冷冷却室は内部に水を流し、空冷冷却室は内部に空気を流すことによって冷却する。水冷冷却室は通板するスリット帯板ａの厚みが厚く、通板速度が速いと発生する摩擦熱も大となって、過熱しやすくなるときに使用される。空冷冷却室は通板するスリット帯板ａの厚みが薄く通板速度も遅く過熱しにくいときに使用される。
【００８５】
前記下部圧力付与体１３１は上部側に配置された多数のエンドレスベルト１の内側を挿通する状態で配設されている。このような状態で配設された下部圧力付与体１３１は、断面が略円形の形状から形成されており、エンドレスベルト１の内側表面１ａを直接押圧する断面円弧状のベルト押圧部１３１ａを略円形の上端側に有している。下部圧力付与体１３１はその長手方向がスリット帯板ａの移動方向に対して直交方向に配設され、又エンドレスベルト１の内側を挿通している。
【００８６】
横方向に複数並設された各エンドレスベルト１は略円形断面の下部圧力付与体１３１の外周を独立して循環動する。下部圧力付与体１３１の周り表面は略円形状に仕上げられ、各エンドレスベルト１が下部圧力付与体１３１の回りをスムーズに略円形状態で循環動できるようになっている。
【００８７】
下部圧力付与体１３１の上端側のベルト押圧部１３１ａは、スリット帯板ａの移動方向に対して接点の面圧でエンドレスベルト１を介してスリット帯板ａを押圧して、スリット帯板ａに巻き取り張力を付与する部分である。このため、ベルト押圧部１３１ａは、横方向に複数並設された各エンドレスベルト１の内側表面１ａを均一に押圧できるように形成されている。
【００８８】
ベルト押圧部１３１ａによって内側表面１ａが押圧されて外側表面１ｂがスリット帯板ａと直に接触するエンドレスベルト１は、外側表面１ｂがスリット帯板ａに密着して滑ることなくスリット帯板ａと一体となって同一速度で循環動する。ベルト押圧部１３１ａは、エンドレスベルト１の内側表面１ａとの間の摩擦が小さくなるように仕上げられている。
【００８９】
下部圧力付与体１３１の外周には、横方向に複数並設された各エンドレスベルト１を分割ガイドする複数のベルトガイド用突起１３２が横方向に一定間隔を隔ててその周方向に突設されている。ベルトガイド用突起１３２は各エンドレスベルト１が幅方向に蛇行や変動するのを防ぐものである。ベルトガイド用突起１３２はベルト押圧部１３１ａを除く下部圧力付与体１３１の外周に適当間隔で複数設けられる。このベルトガイド用突起１３２には板状のベルトガイド板やピンが使用される。
【００９０】
また、下部圧力付与体１３１の内部には必要に応じて冷却室１３１ｂが各エンドレスベルト１を横断する方向に設けられる。冷却室１３１ｂは下部圧力付与体１３１の外周を循環動しながら周回するエンドレスベルト１が摩擦熱により過熱するのを冷やすためのものである。また、冷却室１３１ｂの内部は必要に応じて内部仕切板１３１ｃによって２つ又はそれ以上に仕切られることもある。また、冷却室１３１ｂの内部を複数に仕切る内部仕切板１３１ｃの一部は部分的に開口されていて、一部の内部仕切板１３１ｃを挟んで両側が部分的に連通していることもある。
【００９１】
下部圧力付与体１３１の内部の冷却室１３１ｂを仕切る内部仕切板１３１ｃは、内部が冷却室１３１ｂによって空洞となる下部圧力付与体１３１の形状保持の機能を果たす。即ち、エンドレスベルト１を下向きに押圧する下部圧力付与体１３１には上下方向に圧縮力が作用するが、内部仕切板１３１ｃがこれに抵抗して下部圧力付与体１３１がその長手方向に撓んだり湾曲したりするのを防ぐ機能を果たす。
【００９２】
冷却室１３１ｂには水冷冷却室と空冷冷却室がある。水冷冷却室は内部に水を流し、空冷冷却室は内部に空気を流すことによって冷却する。水冷冷却室は通板するスリット帯板ａの厚みが厚く、通板速度が速いと発生する摩擦熱も大となって、過熱しやすくなるときに使用される。空冷冷却室は通板するスリット帯板ａの厚みが薄く通板速度も遅く過熱しにくいときに使用される。
【００９３】
各エンドレスベルト１の幅方向に配置された下部圧力付与体１３１の長手方向の両端側には外側方に向けて支持軸１３３が各々張り出して設けられており、各支持軸１３３は門型のスタンド１０４の上部横桁１４１の中央に軸支されているので下部圧力付与体１３１は支持軸１３３を中心に回転する構造になっており、この回転は手動でも簡単に行うことができる。
【００９４】
下部圧力付与体１３１の両端側に設置されたスタンド１０４は、上部横桁１４１と上部横桁１４１の両端下部を支持する左右の縦桁１４２から構成される門型形状からなる。スタンド１０４は上部圧力付与体１２１及び下部圧力付与体１３１を支持するもので、上部横桁１４１の上方には上部圧力付与体１２１の両端側を支持する上部軸受け１４３が昇降自在に設けられている。この両側に設置されたスタンド１０４はその下端が板状のベース１４５上に固定されている。
【００９５】
各エンドレスベルト１の幅方向に配置された上部圧力付与体１２１の長手方向の両端側には外側方に向けて支持軸１２３が各々張り出して設けられており、各支持軸１２３は門型のスタンド１０４の上部横桁１４１の上方に昇降軸１４４を介して昇降自在に設けられた上部軸受け１４３の中央に回転自在に各々軸支されているので上部圧力付与体１２１は支持軸１２３を中心に回転する構造になっており、この回転は手動でも簡単に行うことができる。
【００９６】
門型のスタンド１０４の内側つまり上部横桁１４１と左右の縦桁１４２との間には、液圧シリンダ１０５が設けられている。液圧シリンダ１０５は上部軸受け１４３を昇降させると共に昇降する上部軸受け１４３を介して上部圧力付与体１２１に、エンドレスベルト１に対する圧下力を付与する。液圧シリンダ１０５には例えば油圧シリンダが使用される。
【００９７】
液圧シリンダ１０５は下向きに伸縮するように、その上端が上部横桁１４１の下端中央に吊持されている。液圧シリンダ１０５の下端から下方に突出するピストンロッド１５１の下端は横連結板１５２の中央に連結されている。この横連結板１５２の両端側には上部軸受け１４３を昇降自在に支持する昇降軸１４４の下端がそれぞれ連結されている。
【００９８】
各昇降軸１４４は上下方向に延設され上部横桁１４１を昇降自在に貫通しており、貫通した上端は上部軸受け１４３の下端に連結されている。上部圧力付与体１２１を支持する上部軸受け１４３は、この昇降軸１４４が液圧シリンダ１０５によって昇降することによって、これと一体となって昇降する構造になっている。
【００９９】
即ち、液圧シリンダ１０５のピストンロッド１５１が下方に伸長すると、昇降軸１４４は下降し、これに連動して上部軸受け１４３及び上部圧力付与体１２１も下降して、エンドレスベルト１に圧下力が作用して、上部圧力付与体１２１及び下部圧力付与体１３１の協動による上下から挟圧してスリット帯板ａに巻き取り張力を付与する。
【０１００】
また、液圧シリンダ１０５のピストンロッド１５１が収縮すると、昇降軸１４４は上昇し、これに連動して上部軸受け１４３及び上部圧力付与体１２１も上昇して、エンドレスベルト１に対する圧下力は消失し、エンドレスベルト１によるスリット帯板ａに対する巻き取り張力は消失する。
【０１０１】
上部帯板圧着面可動ベルト型圧力付与体１０２に設けられた上部帯板圧着面非可動型圧力付与体１０６は、該可動ベルト型圧力付与体１０２の外周表面の片側に、該可動ベルト型圧力付与体１０２の外周表面にスリット帯板ａの移動方向に循環動自在に並設された複数のエンドレスベルト１を跨いで設けられている。上部帯板圧着面非可動型圧力付与体１０６は、上部圧力付与体１２１のベルト押圧部１２１ａの反対側となる略円形の上端側に取り付けられている。
【０１０２】
上部帯板圧着面非可動型圧力付与体１０６は、押圧表面にフェルト１６１が取り付けられた押圧板１６２、押圧板１６２の両端を上部圧力付与体１２１のベルトガイド部２２上の両端側の中央表面に支持連結する支持桁１６３、並設された複数のエンドレスベルト１同士の間の上部圧力付与体１２１のベルト押圧部１２１ａの反対側となる略円弧状の表面に支持される複数の分割支持片１６４から構成されている。
【０１０３】
上部帯板圧着面非可動型圧力付与体１０６は押圧板１６２のフェルト１６１表面が移動中のスリット帯板ａの表面を押圧するが、このときフェルト１６１は固定されていて、移動中のスリット帯板ａ表面との間で滑りを生じる。
【０１０４】
分割支持片１６４は、押圧板１６２の両端以外の中間部を支持して、押圧板１６２でスリット帯板ａの表面を押圧時に、押圧板１６２が撓むのを防止する機能を果たす。また、各分割支持片１６４は、押圧板１６２のフェルト１６１と反対側の面がエンドレスベルト１に接触するのを防ぐのに十分な高さを有している。
【０１０５】
また、下部帯板圧着面可動ベルト型圧力付与体１０３に設けられた下部帯板圧着面非可動型圧力付与体１０７は、該可動ベルト型圧力付与体１０３の外周表面の片側に、該可動ベルト型圧力付与体１０３の外周表面にスリット帯板ａの移動方向に循環動自在に並設された複数のエンドレスベルト１を跨いで設けられている。下部帯板圧着面非可動型圧力付与体１０７は、下部圧力付与体１３１のベルト押圧部１３１ａの反対側となる略円形の下端側に取り付けられている。
【０１０６】
下部帯板圧着面非可動型圧力付与体１０７は、押圧表面にフェルト１７１が取り付けられた押圧板１７２、押圧板１７２の両端を下部圧力付与体１３１のベルトガイド部３２上の両端側の中央表面に支持連結する支持桁１７３、並設された複数のエンドレスベルト１同士の間の下部圧力付与体１３１のベルト押圧部１３１ａの反対側となる円弧状の表面に支持される複数の分割支持片１７４から構成されている。
【０１０７】
上部帯板圧着面非可動型圧力付与体１０７は押圧板１７２のフェルト１７１表面が移動中のスリット帯板ａの表面を押圧するが、このときフェルト１７１は固定されていて、移動中のスリット帯板ａ表面との間で滑りを生じる。
【０１０８】
分割支持片１７４は、押圧板１７２の両端以外の中間部を支持して、押圧板１７２でスリット帯板ａの表面を押圧時に、押圧板１７２が撓むのを防止する機能を果たす。また、各分割支持片１７４は、押圧板１７２のフェルト１７１と反対側の面がエンドレスベルト１に接触するのを防ぐのに十分な高さを有している。
【０１０９】
なお、図では液圧シリンダ１０５は下向きに設置、つまり上部横桁１４１に吊持されて下向きにピストンロッド１５１が伸縮する構造になっているが、これと逆に液圧シリンダ１０５を上向きに設置、つまり液圧シリンダ１０５の下端をベース１４５上に設置しピストンロッド１５１が上端側になるようにして、上向きにピストンロッド１５１が伸縮する構造に設置してもよい。また、液圧シリンダ１０５には、スリット帯板ａの板厚や板幅に合わせた張力を付与できるように、該液圧シリンダ１０５への流体圧を図示しない圧力調整装置で調整できる構造になっている。
【０１１０】
次に、上記発明の実施の形態の構成に基づく作用について以下説明する。
上部帯板圧着面非可動型圧力付与体１０６と下部帯板圧着面非可動型圧力付与体１０７とにより、スリット帯板ａを挟圧して巻き取り張力を付与したい場合には、上部圧力付与体１２１及び下部圧力付与体１３１の両端側に設置された各スタンド１０４内に吊持された液圧シリンダ１０５のピストンロッド１５１を収縮して、各スタンド１０４の上方の上部軸受け１４３を上昇させる。各上部軸受け１４３を上昇させると両端が上部軸受け１４３に支持された上部圧力付与体１２１は上昇して、上部圧力付与体１２１と下部圧力付与体１３１との間は上下に開く。
【０１１１】
上部圧力付与体１２１を支持軸１２３を中心として１８０度回転させて、上部圧力付与体１２１の上部側に位置していた押圧板１６２のフェルト１６１を下向きにする。同様に下部圧力付与体１３１を支持軸１３３を中心として１８０度回転させて、下部圧力付与体１３１の下部側に位置していた押圧板１７２のフェルト１７１を上向きにする。この回転は手動で簡単に行うことができ、又手動に代えてモーターなどの駆動力を使って回転させることもできる。
【０１１２】
開いた上下に相対向するフェルト１６１、１７１同士の間に各スリット帯板ａを通し、液圧シリンダ１０５のピストンロッド１５１を下向きに伸長して上部圧力付与体１２１を下降させて、上部圧力付与体１２１と下部圧力付与体１３１との間を閉じてスリット帯板ａの通板作業を完了すると共に、上下の上部圧力付与体１２１及び下部圧力付与体１３１に装着したフェルト１６１、１７１により、スリット帯板ａを上下から所定の押圧力で挟圧する。このとき、スリット帯板ａには、液圧シリンダ１０５に作用する圧力に比例した張力が付与されるので、図示しない圧力調整装置により液圧力を調節して、スリット帯板ａの張力を適当に調整する。
【０１１３】
これに対して、上部帯板圧着面可動ベルト型圧力付与体１０２と下部帯板圧着面可動ベルト型圧力付与体１０３とにより、スリット帯板ａを挟圧して巻き取り張力を付与したい場合には、上部圧力付与体１２１を上に開いて、上部圧力付与体１２１を支持軸１２３を中心として１８０度回転させて、上部圧力付与体１２１の下部側に位置していた押圧板１６２のフェルト１６１を上向きにする。同様に下部圧力付与体１３１を支持軸１３３を中心として１８０度回転させて、下部圧力付与体１３１の上部側に位置していた押圧板１７２のフェルト１７１を下向きにする。この回転は手動で簡単に行うことができ、又手動に代えてモーターなどの駆動力を使って回転させることもできる。
【０１１４】
開いた上下に相対向するエンドレスベルト１の外側表面１ｂ同士の間に各スリット帯板ａを通し、液圧シリンダ１０５のピストンロッド１５１を下向きに伸長して上部圧力付与体１２１を下降させて、上部圧力付与体１２１と下部圧力付与体１３１との間を閉じてスリット帯板ａの通板作業を完了すると共に、上下の上部圧力付与体１２１及び下部圧力付与体１３１に装着したエンドレスベルト１により、スリット帯板ａを上下から所定の押圧力で挟圧する。
【０１１５】
上部圧力付与体１２１のベルト押圧部１２１ａはエンドレスベルト１の内側表面１ａを下向きに押圧して内側表面１ａに完全に密着する。ベルト押圧部１２１ａに下向きに押圧されたエンドレスベルト１は外側表面１ｂがスリット帯板ａの表面と完全に密着する。エンドレスベルト１の外側表面１ｂがスリット帯板ａの表面と完全に密着した後は、スリット帯板ａを下方に押圧する。
【０１１６】
スリット帯板ａの裏面と接触する下部側のエンドレスベルト１は、反力によって下部圧力付与体１３１のベルト押圧部１３１ａによって下部側のエンドレスベルト１の内側表面１ａを上向きに押圧して、エンドレスベルト１の外側表面１ｂとスリット帯板ａの裏面を密着させて、上下の相対向するエンドレスベルト１の外側表面１ｂ同士で上下からスリット帯板ａの表裏面を同一の圧力で押圧する。このとき、上下の相対向するエンドレスベルト１の外側表面１ｂ同士と密着したスリット帯板ａの表裏面の全範囲には均等な圧力が付与される。
【０１１７】
そして、スリット帯板ａの巻取りを開始すると、移動するスリット帯板ａの表裏面と上下のエンドレスベルト１の外側表面１ｂとの密着摩擦により、上下の各エンドレスベルト１は略円形の上部圧力付与体１２１及び下部圧力付与体１３１の外周を略円形状態で循環動して周回する。このとき、上下のエンドレスベルト１は移動する各スリット帯板ａと滑りを生じることなく一体となって同速度で各々独立して循環動する。
【０１１８】
その一方で、上記上部圧力付与体１２１のベルト押圧部１２１ａ及び下部圧力付与体１３１のベルト押圧部１３１ａの表面と上下のエンドレスベルト１の内側表面１ａとの間の滑りによる摩擦力により、つまり、移動するスリット帯板ａとの摩擦係合で略円形状態で循環動するエンドレスベルト１の内側表面１ａを押圧するベルト押圧部１２１ａ及びベルト押圧部１３１ａが所謂ブレーキ的な機能を果たして、スリット帯板巻取装置と帯板巻取り張力付与装置との間に位置する各スリット帯板ａに必要な巻き取り張力を発生させるのである。張力の調整は液圧シリンダ１０５への圧力を図示しない圧力調整装置で調節して行う。
【０１１９】
また、帯板圧着面可動ベルト型圧力付与体１０２、１０３と帯板圧着面非可動型圧力付与体１０６，１０７との組み合わせとしては、図１２（Ａ）（Ｂ）のように同じもの同士の組み合わせ以外に、図１２（Ｃ）のように、上部帯板圧着面可動ベルト型圧力付与体１０２と下部帯板圧着面非可動型圧力付与体１０７、図１２（Ｄ）のように、上部帯板圧着面非可動型圧力付与体１０６と下部帯板圧着面可動ベルト型圧力付与体１０３もある。スリット帯板ａの表面仕上げは片側のみに高級塗装したものや、片面の品質保証を要求しない場合などがあるので、ベルトとフェルトの組合せを自由に変更できる利点もある。
【０１２０】
なお、この発明は上記実施例に限定されるものではなく、この発明の精神を逸脱しない範囲で種々の改変をなし得ることは勿論である。前記実施の形態−１，２では、液圧シリンダ５，１０５は、下部帯板圧着可動ベルト型圧力付与体３，１０３が軸支されるスタンド４，１０４の上部横桁４１，１４１の下方側に設けられている場合で説明したが、これに限定されるものではなく、例えば図８，図１２に図示するように、スタンド４，１０４の上部側を上部帯板圧着可動ベルト型圧力付与体２，１０２より上方まで延設し、延設された上端に横設された最上部横桁４１ａ，１４１ａの中央上面に液圧シリンダ５，１０５を下向きに設置し、ピストンロッド５１，１５１を最上部横桁４１ａ，１４１ａを貫通させて下方に向けて伸縮するように配置し、ピストンロッド５１，１５１の下端を上部軸受け４３，１４３に連結させる構造にしてもよい。
また、前記実施の形態−１，２では、スリット後の多条の各スリット帯板を巻き取る際の巻き取り張力の付与について説明したが、この発明は、１条の幅広な金属性帯板を巻取る際の巻き取り張力を付与する場合にも使用可能である。
さらに、金属性帯板に限らず、プラスチックや紙、繊維などの巻取りにも使用可能である。
【０１２１】
【発明の効果】
以上の記載より明らかなように、請求項１、請求項２の発明に係る帯板巻取り張力付与装置によれば、次のような新規的有益なる効果を奏するものである。
すべての板厚範囲に適応可能なベルト可動式又はベルト可動式とフェルト式を組み合わせた多機能な帯板巻取り張力付与装置を低価格で産業界に提供することが実現する。
従来のプーリを使用したベルト可動式（商標名「ベルトブライドル」）の場合にベルト側とテンションパッド側とを切り替えるときは、上下の連結金具を脱着してエレメントの相互切替作業を行うが、重量のある上下の昇降動作は危険性のあるものである。しかし、本願の場合は、同じエレメントを１８０度回転するだけで簡単に作業が完了するし、従来の複数段のフレームの場合の落下の危険性もなく、使い易く迅速且つ確実な操作法が実現する。
従来のコンビネーション型のベルトブライドルではフェルト側とベルト側がそれぞれ上下に配置されているので、帯板を通板した状態では相互に切り替えはできないが、本願では帯板を装置内に通板したままの状態で相互切り替え可能となるので、長い帯板（コイル）の途中から帯板（コイル）の表面状態の変化に対応して、ベルト側とフェルト側を自由に切り替えることが可能となる。又、帯板（コイル）の表面と裏面によって表面仕上げや処理状態が異なる場合には、その状態に応じて「ベルト同士」「フェルト同士」或いは「上部にベルトと下部にフェルト」或いはその逆などの上下の組み合わせを選択変更して通板操業が可能となり、品質管理、生産性の向上、ベルト及びフェルトなどの維持費用の低減にも大いに寄与することができる。
【図面の簡単な説明】
【図１】この発明の実施の形態−１を示す装置の全体側面図である。
【図２】この発明の実施の形態−１を示す装置の全体正面図である。
【図３】この発明の実施の形態−１を示す装置の側断面図である。
【図４】この発明の実施の形態−１を示す装置の要部の側面図である。
【図５】（Ａ）は図４のＡ−Ａ矢視断面図である。
（Ｂ）は図５（Ａ）のＢ部拡大図である。
【図６】この発明の実施の形態−１を示す使用説明図である。
【図７】
この発明の実施の形態−１を示す組み合わせの説明図である。
【図８】
この発明の実施の形態−１の他例を示す装置の全体概略側面図である。
【図９】
この発明の実施の形態−２を示す装置の全体側面図である。
【図１０】
この発明の実施の形態−２を示す装置の全体正面図である。
【図１１】
この発明の実施の形態−２を示す装置の側断面図である。
【図１２】
この発明の実施の形態−２を示す組み合わせの説明図である。
【図１３】
この発明の実施の形態−２の他例を示す装置の全体概略側面図である。
【図１４】
従来の装置の全体側面図である。
【符号の説明】
１    エンドレスベルト
１ａ  内側表面
１ｂ  外側表面
２    上部帯板圧着面可動ベルト型圧力付与体
２１    上部プーリ
２１ａ  プーリ軸
２１ｂ  案内つば
２２    上部圧力付与体
２２ａ  ベルト押圧部
２２ｂ  ベルト通過部
２２ｃ  冷却室
２２ｄ  内部仕切板
２３    支持軸
３    下部帯板圧着面可動ベルト型圧力付与体
３１    下部プーリ
３１ａ  プーリ軸
３１ｂ  案内つば
３２    下部圧力付与体
３２ａ  ベルト押圧部
３２ｂ  ベルト通過部
３２ｃ  冷却室
３２ｄ  内部仕切板
３３    支持軸
４    スタンド
４１    上部横桁
４１ａ  最上部横桁
４２    縦桁
４３    上部軸受け
４４    昇降軸
４５    ベース
５    液圧シリンダ
５１    ピストンロッド
５２    横連結板
６    上部帯板圧着面非可動型圧力付与体
６１    フェルト
６２    押圧板
６３    支持桁
６４    分割支持片
７    下部帯板圧着面非可動型圧力付与体
７１    フェルト
７２    押圧板
７３    支持桁
７４    分割支持片
１０２    上部帯板圧着面可動ベルト型圧力付与体
１２１    上部圧力付与体
１２１ａ  ベルト押圧部
１２１ｂ  冷却室
１２１ｃ  内部仕切板
１２２    ベルトガイド用突起
１２３    支持軸
１０３    下部帯板圧着面可動ベルト型圧力付与体
１３１    下部圧力付与体
１３１ａ  ベルト押圧部
１３１ｂ  冷却室
１３１ｃ  内部仕切板
１３２    ベルトガイド用突起
１３３    支持軸
１０４    スタンド
１４１    上部横桁
１４１ａ  最上部横桁
１４２    縦桁
１４３    上部軸受け
１４４    昇降軸
１４５    ベース
１０５    液圧シリンダ
１５１    ピストンロッド
１５２    横連結板
１０６    上部帯板圧着面非可動型圧力付与体
１６１    フェルト
１６２    押圧板
１６３    支持桁
１６４    分割支持片
１０７    下部帯板圧着面非可動型圧力付与体
１７１    フェルト
１７２    押圧板
１７３    支持桁
１７４    分割支持片
ａ    スリット帯板
ｂ    連結装置
【図１】
2004230449.tif 000003
【図２】
2004230449.tif 000004
【図３】
2004230449.tif 000005
【図４】
2004230449.tif 000006
【図５】
2004230449.tif 000007
【図６】
2004230449.tif 000008
【図７】
2004230449.tif 000009
【図８】
2004230449.tif 000010
【図９】
2004230449.tif 000011
【図１０】
2004230449.tif 000012
【図１１】
2004230449.tif 000013
【図１２】
2004230449.tif 000014
【図１３】
2004230449.tif 000015
【図１４】
2004230449.tif 000016